(57)【要約】【課題】コンピュータの周辺機器の増大を抑えた構成により、コンピュータに保存された音楽を大音量あるいは高音質で再生する。【解決手段】マウス装置１６は、ＵＳＢトランシーバ３２と、ＭＰ３デコーダ３４と、ＦＭ送信機３６とを備える。ＵＳＢトランシーバ３２は、コンピュータからＭＰ３方式で圧縮された音楽データＳ(MP3)を受信してＭＰ３デコーダ３４に出力する。ＭＰ３デコーダ３４は、音楽データＳ(MP3)を復号してアナログ信号Ｖ１に変換する。ＦＭ送信機３６は、アナログ信号Ｖ１を高周波信号Ｖｒｆｑに変換して再生装置に送信する。【選択図】図２
2007226654.tif 000002
【特許請求の範囲】
【請求項１】
コンピュータと接続されるマウス装置であって、
前記コンピュータから音楽データを受信する受信部と、
前記受信部において受信した音楽データを無線通信のための高周波信号に変換して送信する無線送信部と、
を備えることを特徴とするマウス装置。
【請求項２】
前記無線送信部は、
前記音楽データをステレオコンポジット信号に変換して出力するステレオ変調部と、
前記ステレオ変調部から出力されたステレオコンポジット信号にもとづいて周波数変調を実行する周波数変調部と、
を含むことを特徴とする請求項１に記載のマウス装置。
【請求項３】
前記音楽データは、所定のフォーマットで符号化されたデジタル信号であり、
前記受信部と前記無線送信部との間に、前記音楽データを復号するデコーダをさらに含むことを特徴とする請求項１または２に記載のマウス装置。
【請求項４】
ＵＳＢ (Universal Serial Bus) ケーブルを介して前記コンピュータと接続可能に構成されたことを特徴とする請求項１から３のいずれかに記載のマウス装置。
【請求項５】
前記無線送信部は、前記ＵＳＢケーブルと一体的に設けられたアンテナを用いて前記高周波信号を送信することを特徴とする請求項４に記載のマウス装置。
【請求項６】
前記無線送信部の構成要素がひとつの半導体基板上に一体集積化されたことを特徴とする請求項１から５のいずれかに記載のマウス装置。
【請求項７】
音楽データを送信するコンピュータと、
前記コンピュータと接続されて前記音楽データを受信する請求項１から６のいずれかに記載のマウス装置と、
前記マウス装置から送信された高周波信号を受信して音声を出力する再生装置と、
を備えることを特徴とする音楽再生システム。
【発明の詳細な説明】
【技術分野】
【０００１】
本発明は、有線あるいは無線によりコンピュータと接続されるマウス装置に関する。
【背景技術】
【０００２】
近年、インターネットを経由して音楽データをダウンロードすることが盛んに行われている。ダウンロードした音楽データはコンピュータのハードディスクなどに保存される。コンピュータでその保存された音楽データの音声を出力する場合、大音量あるいは高音質を実現するにはコンピュータの周辺機器としてアンプやスピーカを別途用意する必要がある。
【特許文献１】特開昭６４−１０２１号公報
【発明の開示】
【発明が解決しようとする課題】
【０００３】
大音量あるいは高音質で音声を出力するために、コンピュータの周辺機器としてアンプやスピーカを別途用意することは、コストおよび設置面積の観点から好ましくない。
【０００４】
本発明はこうした状況を認識してなされたものであり、その目的は、コンピュータの周辺機器の増大を抑えた構成により、コンピュータに保存された音楽データの音声を出力することにある。
【課題を解決するための手段】
【０００５】
上記課題を解決するために、本発明のある態様のマウス装置は、コンピュータと接続されるマウス装置であって、コンピュータから音楽データを受信する受信部と、受信部において受信した音楽データを無線通信のための高周波信号に変換して送信する無線送信部とを備える。
【０００６】
コンピュータとマウスと装置との接続方式は、有線であっても無線であってもよい。音楽データは、デジタル信号またはアナログ信号であってもよい。
この態様によると、無線送信部から音楽データにもとづく高周波信号が送信されるので、コンピュータの周辺機器とは別の再生装置に高周波信号から再生される音声を出力させることが可能となる。再生装置としては、コンピュータよりも大音量あるいは高音質で音声を出力できるものを用いることができる。これにより、コンピュータの周辺機器の増大を抑えた構成により、コンピュータに保存された音楽データの音声を出力することができる。
【０００７】
無線送信部は、音楽データをステレオコンポジット信号に変換して出力するステレオ変調部と、ステレオ変調部から出力されたステレオコンポジット信号にもとづいて周波数変調を実行する周波数変調部とを含んでもよい。この場合、再生装置は、周波数変調された高周波信号から音声を再生して出力できればよい。したがって、幅広い種類の再生装置に音楽データを再生させることができる。
【０００８】
音楽データは、所定のフォーマットで符号化されたデジタル信号であり、受信部と無線送信部との間に、音楽データを復号するデコーダをさらに含んでもよい。所定のフォーマットとは、たとえばＭＰ３ (MPEG Audio Layer-3) などの圧縮方式あるいはＣＲＣ (Cyclic Redundancy Check) などによる誤り検査に対応した方式をいう。これによれば、音楽データがデジタル信号なので、コンピュータからマウス装置に至るまでのノイズに強い。
【０００９】
マウス装置は、ＵＳＢ (Universal Serial Bus) ケーブルを介してコンピュータと接続可能に構成されてもよい。広く普及しているＵＳＢ規格に対応することで、マウス装置の適用範囲が広がる。
【００１０】
無線送信部は、ＵＳＢケーブルと一体的に設けられたアンテナを用いて高周波信号を送信してもよい。この場合、コンピュータとマウス装置を接続する配線が送信用のアンテナとして機能するので、配線の効率的な利用が可能となる。
【００１１】
無線送信部の構成要素がひとつの半導体基板上に一体集積化されてもよい。一体集積化とは、回路の構成要素のすべてが半導体基板上に形成される場合や、回路の主要構成要素が一体集積化される場合が含まれ、回路定数の調節用に一部の抵抗などが半導体基板の外部に設けられていてもよい。ひとつの半導体基板上に一体集積化することにより、無線送信部をマウス装置に容易に搭載できる。
【００１２】
本発明の別の態様は、音楽再生システムである。この音楽再生システムは、音楽データを送信するコンピュータと、コンピュータと接続されて音楽データを受信するマウス装置と、マウス装置から送信された高周波信号を受信して音声を出力する再生装置とを備える。
【００１３】
この態様によると、再生装置は、高周波信号から音声を再生して出力する機能があれば、コンピュータの周辺機器とは別のものでよく、たとえば、コンピュータの近傍に既に存在する音楽プレーヤなどを用いることができる。したがって、コンピュータの周辺機器の増大を抑えた構成により、コンピュータに保存された音楽データの音声を出力することが可能となる。
【００１４】
なお、以上の構成要素の任意の組合せ、本発明の表現を、方法、システムなどの間で変換したものもまた、本発明の態様として有効である。
【発明の効果】
【００１５】
本発明によれば、コンピュータの周辺機器の増大を抑えた構成により、コンピュータに保存された音楽データの音声を出力することができる。
【発明を実施するための最良の形態】
【００１６】
実施の形態は、コンピュータに保存された音楽データを高周波信号に変換して無線にて送信し、コンピュータの周辺機器とは別に設けられた再生装置において高周波信号から再生される音声を出力する音楽再生システムに関する。
【００１７】
図１は、実施の形態にかかる音楽再生システム１００の全体構成を示す。
音楽再生システム１００は、コンピュータ１２と、ＵＳＢケーブル１４と、マウス装置１６と、再生装置１８と、ディスプレイ２２と、キーボード２４とを備える。
【００１８】
コンピュータ１２には、ＭＰ３方式により圧縮された音楽データが保存されている。マウス装置１６は、ＵＳＢ規格に対応しており、ＵＳＢケーブル１４を介してコンピュータ１２に接続される。マウス装置１６は、コンピュータ１２からＵＳＢケーブル１４を介して受信した音楽データを高周波信号Ｖｒｆｑに変換して再生装置１８に送信する。図１では、高周波信号Ｖｒｆｑは、ＵＳＢケーブル１４と一体的に設けられたアンテナを用いて送信される。マウス装置１６の構成および動作の詳細について後述する。
【００１９】
再生装置１８は、ＦＭ (Frequency Modulation) チューナおよびステレオ復調器（図示せず）を備えており、マウス装置１６から送信された高周波信号Ｖｒｆｑを受信し、周波数復調、ステレオ復調を順次実行し、高周波信号Ｖｒｆｑから再生される音声を出力する。再生装置１８は、たとえば、コンピュータ１２の周辺機器とは別に、コンピュータ１２の近傍に設けられた音楽プレーヤである。ディスプレイ２２は、コンピュータの使用者に必要な情報を表示する。キーボード２４は、入力機器としてコンピュータ１２に接続される。
【００２０】
図２は、図１のマウス装置１６の構成を示す。
マウス装置１６は、ＵＳＢトランシーバ３２と、ＭＰ３デコーダ３４と、ＦＭ送信機３６とを備える。
【００２１】
ＵＳＢトランシーバ３２は、図１のコンピュータ１２からＭＰ３方式で圧縮された音楽データＳ(MP3)を受信してＭＰ３デコーダ３４に出力する。ＭＰ３デコーダ３４は、音楽データＳ(MP3)を復号してアナログ信号Ｖ１に変換する。ＦＭ送信機３６は、アナログ信号Ｖ１を高周波信号Ｖｒｆｑに変換して図１の再生装置１８に送信する。
【００２２】
図３は、図２のＦＭ送信機３６の構成を示す。なお、図３において、フィルタなどの回路ブロックは省略している。
ＦＭ送信機３６は、ステレオ変調部５２と、周波数変調器５４と、パワーアンプ５６とを含む。ＦＭ送信機３６の構成要素は、ひとつのＬＳＩ (Large Scale Integration) に集積化されてもよいし、別々のＩＣ (Integrated Circuit) に分割して構成されてもよい。
【００２３】
ステレオ変調部５２は、図２のＭＰ３デコーダ３４から出力されたアナログ信号Ｖ１をステレオコンポジット信号Ｖ２に変換して周波数変調器５４に出力する。周波数変調器５４は、ステレオコンポジット信号Ｖ２にもとづき周波数変調を実行し、高周波信号Ｖｒｆｑを出力する。高周波信号Ｖｒｆｑは、パワーアンプ５６によって増幅され、アンテナ５８から図１の再生装置１８に送信される。アンテナ５８は、図１のＵＳＢケーブル１４と一体的に設けられている。
【００２４】
図４は、図１のコンピュータ１２の構成を示す。図４において、様々な処理を行う機能ブロックとして記載される各要素は、ハードウェア的には、ＣＰＵ、メモリ、その他のＬＳＩで構成することができ、ソフトウェア的には、メモリにロードされた予約管理機能のあるプログラムなどによって実現される。したがって、これらの機能ブロックがハードウェアのみ、ソフトウェアのみ、またはそれらの組合せによっていろいろな形で実現できることは当業者には理解されるところであり、いずれかに限定されるものではない。
【００２５】
コンピュータ１２は、音楽データ記憶部６２と、マウス制御部６４と、音楽制御部６６と、通信部６８とを備える。マウス制御部６４は、たとえば、一般的なマウス装置のドライバの機能を有し、入力装置としてのマウス装置１６からの入力を図１のディスプレイ２２上でのカーソルの動きなどに変換する。通信部６８は、コンピュータ１２とマウス装置１６との通信を担う。
【００２６】
音楽データ記憶部６２は、たとえば、ハードディスクなどであり、ＭＰ３形式で圧縮された音楽データを保持している。音楽制御部６６は、音楽データ記憶部６２に保持された音楽データを取り出して通信部６８からマウス装置１６に送信する。
【００２７】
以上のように構成された音楽再生システム１００の動作を説明する。
コンピュータ１２の使用者の操作などにより、コンピュータ１２に対し、ＭＰ３形式で保存された音楽データの音声の出力が指示される。コンピュータ１２は、音声の出力が指示されると、自身が保存している音楽データをＵＳＢケーブル１４を経由してマウス装置１６に伝送する。
【００２８】
マウス装置１６のＵＳＢトランシーバ３２は、伝送された音楽データを受信する。マウス装置１６のＭＰ３デコーダ３４は、受信された音楽データに対してＭＰ３方式に対応した復号処理を実行し、アナログ信号Ｖ１を生成する。マウス装置１６のＦＭ送信機３６は、アナログ信号Ｖ１をステレオコンポジット信号Ｖ２に変換し、ステレオコンポジット信号Ｖ２にもとづく周波数変調により高周波信号Ｖｒｆｑを生成する。生成された高周波信号Ｖｒｆｑは、ＵＳＢケーブル１４と一体的に設けられたアンテナ５８により再生装置１８に送信される。再生装置１８は、送信された高周波信号Ｖｒｆｑに周波数復調、ステレオ復調を順次実行し、高周波信号Ｖｒｆｑから再生される音声を出力する。
【００２９】
本実施の形態によれば、マウス装置１６は、コンピュータ１２に保存された音楽データを無線通信用の高周波信号Ｖｒｆｑに変換して送信する。これにより、たとえば、コンピュータ１２の周辺機器とは別に、コンピュータ１２の近傍に設けられた再生装置１８に音楽データの音声を出力させることが可能となる。再生装置１８としては一般的な音楽プレーヤを用いることができる。したがって、コンピュータ１２の周辺機器の増大を抑えた構成の下で、コンピュータ１２に保存された音楽データの音声を大音量あるいは高音質で出力することができる。
【００３０】
また、高周波信号Ｖｒｆｑは、ＦＭ送信機３６における周波数変調により生成されるので、再生装置１８は、周波数変調された信号から音声を再生できるだけでよい。よって、再生装置１８として幅広い種類のものを用いることができる。これにより、マウス装置１６の適用範囲が広がるとともに、音楽再生システム１００の導入ステップが容易となる。また、音楽データは、デジタル信号としてコンピュータ１２からＵＳＢケーブル１４を介してマウス装置１６に伝送されるので、ノイズに強い。
【００３１】
また、マウス装置１６は、ＭＰ３デコーダ３４を内蔵しているので、マウス装置１６の汎用性が高められる。すなわち、マウス装置１６は、ＭＰ３形式の音楽データを受信する場合とステレオ信号に復調された音楽データを受信する場合との双方に対応できるので、マウス装置１６の適用範囲が広がる。
【００３２】
また、マウス装置１６は、広く普及しているＵＳＢ規格に対応しているので、マウス装置１６の適用範囲が広がる。また、ＦＭ送信機３６のアンテナとして使用される図３のアンテナ５８は、図１のＵＳＢケーブル１４と一体的に設けられているので、コンピュータ１２とマウス装置１６とを接続する配線の効率的な利用が可能となる。これにより、音楽再生システム１００の構成の冗長性を低減できる。
【００３３】
上記実施の形態は例示であり、それらの各構成要素や各処理プロセスの組合せにいろいろな変形が可能なこと、またそうした変形例も本発明の範囲にあることは当業者に理解されるところである。
【００３４】
実施の形態において、マウス装置１６において高周波信号Ｖｒｆｑに変換して送信する対象（以下、「対象データ」という。）がコンピュータ１２に保存された音楽データである場合を説明したが、対象データはこれには限定されない。つまり、対象データは、コンピュータ１２に内蔵あるいは外付けされたハードディスク、ＣＤ、ＤＶＤなどの外部記憶媒体に保存された音楽データに限られず、コンピュータ１２のメインメモリに一時記憶された音楽データであってもよい。あるいは、マウス装置１６にステレオジャックを設け、ステレオジャックを介してコンピュータ１２以外から入力される音楽データを対象データとしてもよい。この場合、マウス装置１６の汎用性が高められる。
【００３５】
また、実施の形態において、マウス装置１６は、ＭＰ３に対応した復号、ステレオ変調および周波数変調を実行する機能を有する場合を説明したが、ＭＰ３に対応した復号は、コンピュータ１２においてされてもよい。この場合、マウス装置１６にＭＰ３デコーダ３４を設ける必要がなくなり、マウス装置１６の構成を簡略化できる。また、ステレオ変調も、コンピュータ１２においてされてもよい。この場合、ＦＭ送信機３６にステレオ変調部５２を設ける必要がなくなり、マウス装置１６の構成を簡略化できる。
【００３６】
また、実施の形態においては、音楽データがＭＰ３方式で圧縮されてコンピュータ１２に保存されている場合を説明したが、音楽データの符号化の方式はＭＰ３方式に限定されず、種々の方式を用いることができる。さらに、音楽データは圧縮されていなくてもよい。音楽データは、圧縮されることに替えて、あるいはこれに加えて、ＣＲＣなどによる誤り検査・訂正に対応した方式で符号化されてもよい。これによれば、音楽データがコンピュータ１２からマウス装置１６に伝送される際のノイズによる精度の悪化を軽減できる。
【００３７】
また、実施の形態においては、ＦＭ送信機３６は、ＭＰ３デコーダ３４において復号されてアナログ信号に変換された音楽データにもとづきアナログ変調して生成した高周波信号Ｖｒｆｑを再生装置１８に送信したが、これに限定されない。ＦＭ送信機３６による変調方式は、デジタル変調であってもよい。
【００３８】
また、実施の形態において、マウス装置１６のＦＭ送信機３６に使用されるアンテナ５８がＵＳＢケーブル１４と一体的に設けられている場合を説明したが、これに限定されない。アンテナ５８は、ＵＳＢケーブル１４と分離して設けられてもよく、マウス装置１６に内蔵されてもよい。これによれば、マウス装置１６の設計の自由度が高められる。
【００３９】
また、実施の形態において、マウス装置１６は、ＵＳＢ規格に対応し、ＵＳＢケーブル１４を介してコンピュータ１２と接続されたが、これには限定されない。マウス装置１６としては、ＰＳ／２マウスを用いることもできる。ＰＳ／２マウスを用いる場合は、マウス装置１６は、ＰＳ／２インタフェースによりコンピュータ１２と接続される。さらに、マウス装置１６は、コンピュータ１２と無線にて接続されてもよい。これによれば、マウス装置１６の設計の自由度が高められる。
【００４０】
また、実施の形態においては、再生装置１８は、ＦＭ送信機３６から送信された高周波信号Ｖｒｆｑから再生される音声を出力したが、再生装置１８は、音声を出力することに加えて、あるいは音声を出力することに替えて、復調した高周波信号Ｖｒｆｑを記憶してもよい。つまり、再生装置１８は、記憶・再生装置あるいは記憶装置であってもよい。この場合、音楽再生システム１００の適用範囲が広がる。
【図面の簡単な説明】
【００４１】
【図１】実施の形態にかかる音楽再生システムの全体構成を示す概略図である。
【図２】図１のマウス装置の構成を示すブロック図である。
【図３】図２のＦＭ送信機の構成を示すブロック図である。
【図４】図１のコンピュータの構成を示す機能ブロック図である。
【符号の説明】
【００４２】
１２  コンピュータ、  １４  ＵＳＢケーブル、  １６  マウス装置、  １８  再生装置、  ３２  ＵＳＢトランシーバ、  ３４  ＭＰ３デコーダ、  ３６  ＦＭ送信機、  ５２  ステレオ変調部、  ５４  周波数変調器、  １００  音楽再生システム、  Ｖｒｆｑ  高周波信号。
【図１】
2007226654.tif 000003
【図２】
2007226654.tif 000004
【図３】
2007226654.tif 000005
【図４】
2007226654.tif 000006